(57)【要約】【課題】装置の設置に際し、装置の高さ調整が容易にでき、且つ装置の部品の配置を制約することのない装置高さ調整器具を提供する。【解決手段】装置の底部材に対し斜め方向となる長穴が４箇所以上設けられた長穴部材と、前記長穴に摺動可能に係合し、前記長穴と相対移動が可能な摺動部材と、キャスターと、を有し、前記長穴部材及び前記摺動部材の何れか一方に前記キャスターが配設され、他方が前記装置の前記底部材に配設される装置高さ調整器具。【選択図】図１
2009196578.tif 000002
【特許請求の範囲】
【請求項１】
装置の設置される床面からの設置高さを調整するための装置高さ調整器具であって、
前記装置の底部材に対し斜め方向となる長穴が４箇所以上設けられた長穴部材と、
前記長穴に摺動可能に係合し、前記長穴と相対移動が可能な摺動部材と、
キャスターと、を有し、
前記長穴部材及び前記摺動部材の何れか一方に前記キャスターが配設され、他方が前記装置の前記底部材に配設されることを特徴とする装置高さ調整器具。
【請求項２】
前記底部材に対し平行移動可能な移動部材を有し、前記摺動部材と前記キャスターは前記移動部材に配設され、前記長穴部材は前記底部材に配設されることを特徴とする請求項１に記載の装置高さ調整器具。
【請求項３】
前記長穴部材は前記底部材に対し平行移動可能であるとともに前記キャスターが配設され、前記摺動部材は前記底部材に配設されることを特徴とする請求項１に記載の装置高さ調整器具。
【請求項４】
前記長穴と前記摺動部材の相対移動は、装置の前後または左右の側面から操作される高さ調整手段で行われることを特徴とする請求項１乃至３の何れか１項に記載の装置高さ調整器具。
【請求項５】
構成する部材のうち、前記底部材の下面に固定される部材は、前記底部材の上側に突き出し部分を生じない固定方法で取り付けられ、且つ全ての構成部材は、前記底部材の上側に突き出し部分を生じないることを特徴とする請求項１乃至４の何れか１項に記載の装置高さ調整器具。
【発明の詳細な説明】
【技術分野】
【０００１】
本発明は、装置の設置に際し、装置の設置高さを調整する装置高さ調整器具に関する。
【背景技術】
【０００２】
各種装置の設置に際しては、装置の機能を損なわないようにするため、水平且つ安定に設置することが要求される。このため、従来から、装置の底部材に床面からの高さを調整する装置高さ調整器具（以下、高さ調整器具とも略す）を配設し、装置の設置時に高さを調整することが行われている。前記高さ調整器具としては、例えば、高さ調整可能な脚（アジャスタブルフット）、高さ調整可能なキャスター（アジャスタブルキャスター）等がある。前記キャスターは装置の移動も容易に行うことができる。
【０００３】
前記高さ調整器具の調整は、従来、前記高さ調整器具が配設された前記底部材の下側、即ち前記底部材と前記床面の間に工具を差し込み、前記高さ調整器具の調整ナット等の調整部分にセットし前記調整ナットを回転させ行っていた。しかし、前記底部材と前記床面の狭いスペースに工具を差し入れセットしなければならず、セットの作業性が劣っていた。また、前述のように狭いスペースのため、作業者が工具を操作できる範囲が限られていた。このため、１回の工具のセットで回転できる調整ナットの角度が少なく調整に時間が掛かっていた。
【０００４】
これに対し、脚の下端部に固定したナットと、該ナットに螺合（ネジ結合）可能な取付けボルトを回転自在に立設した接地部材と、接地部材を取付けボルトに装着し、かつ該ボルトを回動可能な調整ハンドルとを備えたテーブル等の高さ調整機構が開示されている（例えば、特許文献１参照）。
【特許文献１】実開平７−３１４０５号公報
【発明の開示】
【発明が解決しようとする課題】
【０００５】
特許文献１は、特別な工具を要することなくテーブル等の高さを調整するものである。しかしながら、調整に際しては、作業者は脚の下に手を入れなければならず、作業性が劣っていた。また、装置の質量によっては、前記調整ハンドルを回すのは困難であり、高さ調整は困難であった。
【０００６】
また、高さ調整器具の調整は、前記高さ調整器具が配設された底部材の上側に工具をセットして行うことも可能である。しかし、底部材の上側には装置の部品が配置されるが、前記底部材の上側に突き出た前記高さ調整器具の部材及び調整作業のためのスペース等により、前記部品の配置が制約される等の問題が生じる。
【０００７】
本発明は上記状況に鑑みなされたもので、装置の高さ調整が容易にでき、且つ装置の部品の配置を制約することのない装置高さ調整器具を提供することを目的とする。
【課題を解決するための手段】
【０００８】
上記目的は、下記の構成により達成される。
１．装置の設置される床面からの設置高さを調整するための装置高さ調整器具であって、前記装置の底部材に対し斜め方向となる長穴が４箇所以上設けられた長穴部材と、前記長穴に摺動可能に係合し、前記長穴と相対移動が可能な摺動部材と、キャスターと、を有し、前記長穴部材及び前記摺動部材の何れか一方に前記キャスターが配設され、他方が前記装置の前記底部材に配設されることを特徴とする装置高さ調整器具。
２．前記底部材に対し平行移動可能な移動部材を有し、前記摺動部材と前記キャスターは前記移動部材に配設され、前記長穴部材は前記底部材に配設されることを特徴とする１に記載の装置高さ調整器具。
３．前記長穴部材は前記底部材に対し平行移動可能であるとともに前記キャスターが配設され、前記摺動部材は前記底部材に配設されることを特徴とする１に記載の装置高さ調整器具。
４．前記長穴と前記摺動部材の相対移動は、装置の前後または左右の側面から操作される高さ調整手段で行われることを特徴とする１乃至３の何れか１項に記載の装置高さ調整器具。
５．構成する部材のうち、前記底部材の下面に固定される部材は、前記底部材の上側に突き出し部分を生じない固定方法で取り付けられ、且つ全ての構成部材は、前記底部材の上側に突き出し部分を生じないることを特徴とする１乃至４の何れか１項に記載の装置高さ調整器具。
【発明の効果】
【０００９】
上記により、装置高さ調整器具の調整を、装置の前後又は左右の側面に工具をセットして行えるため、工具のセットが容易で、また作業者が工具を操作できるスペースを広く確保できるため、調整の作業性向上を図ることができる。
【００１０】
更に、底部材上側に装置高さ調整器具の配設による突き出し部分が生じないため、装置の部品の配置を制約することがない。
【発明を実施するための最良の形態】
【００１１】
以下に本発明の実施の形態について図を参照して説明する。なお、本発明は、以下に限定されるものではない。
【００１２】
本発明に係る高さ調整器具は、装置の底部材の下側に配設され、前記装置の底面に対し斜め方向となる長穴が４箇所以上設けられた長穴部材と、前記長穴に摺動可能に係合し、前記長穴と相対移動が可能な摺動部材と、キャスターと、を有する。前記長穴部材及び前記摺動部材の何れか一方に前記キャスターが配設され、他方が前記装置の底部材に配設される。
【００１３】
前記相対移動は、装置の前後または左右の側面から操作される高さ調整手段で行われる。前記相対移動により、底部材とキャスターの高さが変位する。これにより、装置の床面からの高さの調整を行うことができる。
＜実施例１＞
実施例１は、装置の底部材に対し平行移動可能な移動部材を設け、摺動部材とキャスターを配設し、長穴部材は底部材に配設した高さ調整器具の例である。
【００１４】
図１は高さ調整器具の正面図、図２は図１の矢印Ｙ１方向から見た下面図、図３は図１の矢印Ｘ１方向から見た側面図、図４は分解図である。
【００１５】
高さ調整器具１００は装置１の底部材であるベース板１１の角部４箇所の近傍にそれぞれ配設される。高さ調整器具１００は、長穴部材である補助ベース板１１１、移動部材である移動板Ａ１２１、摺動部材である支持軸１３１、キャスター１２、高さ調整手段である調整ボルト１４１を有する。
【００１６】
補助ベース板１１１は、箱形状で床面側は開口している。ベース板１１側は、一部開口であってもよい。また、鉛直部の対となる側面板にはベース板１１に対し斜め方向となる長穴１１２が４箇所設けられている。別の側面板には、調整ボルト１４１が回転可能に係合する鉛直方向の長穴１１３（図３（ｂ）参照）が設けられている。
【００１７】
補助ベース板１１１は、ベース板１１の上側に突き出し部分を生じない、例えば、溶接、皿ネジ等で固定される。これにより、ベース板１１の上面に配置される装置１の部品の配置が、高さ調整器具１００の部材で制約されることを防止できる。
【００１８】
移動板Ａ１２１は、補助ベース板１１１の内側に、図１の矢印Ｘ３方向にスライド可能に、取り付けられる。補助ベース板１１１の長穴１１２の面と対向する移動板Ａ１２１の鉛直部の側面板には、支持軸１３１と係合する軸穴１２３が長穴１１２と対向するように設けられている。別の側面板には、調整ボルト１４１とネジ結合するナット１２２が溶接されている。
【００１９】
移動板Ａ１２１の取り付けは、長穴１１２と軸穴１２３が対向する位置で、支持軸１３１を長穴１１２及び軸穴１２３を貫通させることで行われる。支持軸１２３の両端部にはネジ穴が設けられている。また、長さは補助ベース板１１１の長穴１１２を設けられた対となる側面板の外寸法より若干長くなっている。貫通した支持軸１２３は、両端部に設けられたネジ穴で、長穴１１２と支持軸１３１とがスライド可能にネジ１３２でネジ止めされ、抜け止めされる。本実施例では、長穴１１２と支持軸１３１とのスライドを円滑にするため、ワッシャ１３３を補助ベース板１１１の側面板とネジ１３２との間に用いている。支持軸１３１の抜け止めは、ストップリング等を用いることもできる。
【００２０】
キャスター１２は、ネジ止め等で移動板Ａ１２１に取り付けられる。
【００２１】
調整ボルト１４１は、補助ベース板１１１の長穴１１３を通し、移動板Ａ１２１のナット１２２とネジ結合する。長穴１１３が設けられた側面板を挟み、支持軸１４１のボルト頭部１４１ａと対向する支持軸１４１上には、支持軸１４１の軸方向の移動を規制する規制部材として、２つのナットを用いたダブルナット１４２が設けられている。ボルト頭部１４１ａとダブルナット１４２は、長穴１１３が設けられた側面板を所定の隙間を維持し挟み込み、支持軸１４１の軸方向の移動を規制するとともに、支持軸１４１の回転及び長穴１１３の長手方向の移動を可能としている。
【００２２】
調整ボルト１４１は装置１の側面であれば、前後または左右どちらとしてもよい。装置１の形態で適宜選定されるものである。
【００２３】
装置１の床面からの高さ調整、即ちベース板１１１とキャスター１２との高さ調整は、装置１の側面、矢印Ｘ１及びＸ２方向から工具をボルト頭部１４１ａにセットして、調整ボルト１４１を回転させることで行われる。調整ボルト１４１回転させることにより、移動板Ａが水平方向に移動し、長穴１１２内を支持軸１３１がスライドすることで、高さ調整が行われる。
【００２４】
図５は、高さ調整の状態を示す図である。装置高さが、図５（ａ）は最高位置、図５（ｂ）は中間位置、図５（ｃ）は最低位置にある状態を示す。また、高さ調整で移動板Ａ１２１が移動すると、キャスター１２の位置も水平方向に移動する。図６は、高さ調整とキャスター１２の位置関係を示す図である。図６（ａ）は装置高さが最高位置の時のキャスター１２の位置、図６（ｂ）は装置高さが中間位置の時のキャスター１２の位置、図６（ｃ）は装置高さが最低位置の時のキャスター１２の位置を示す。
【００２５】
高さ調整が完了すると、装置の移動時等に調整ボルト１４１が回転することを防ぐため、調整ボルト回転防止板１１４（図３（ｃ）参照）を取り付け、調整ボルト１４１の回り止めが行われる。これは、調整ボルト回転防止板１１４に設けられた長穴１１４ａを調整ボルト１４１の頭部１４１ａに嵌め込み、調整ボルト回転防止板１１４を補助ベース板１１１にネジで固定することで行われる。
【００２６】
上記のように、装置高さ調整器具１００の調整を、装置１の前後又は左右の側面に工具をセットして行えるため、工具のセットが容易で、また作業者が工具を操作できるスペースを広く確保できるため、調整の作業性向上を図ることができる。
【００２７】
更に、工具の操作スペースが装置１の機外であるため、装置１内の部品の配置に制約を及ぼすことがない。
＜実施例２＞
実施例２は、実施例１に対して、移動部材を設けずに、キャスターを直接摺動部材に取り付けた例である。
【００２８】
図７は、高さ調整器具２００を示す図であり、図７（ａ）は正面図、図７（ｂ）は左側面図である。図８は摺動部材であるキャスター支持軸２３１にキャスター１２を取り付けた状態を示す図である。
【００２９】
２つのキャスター支持軸２３１には、キャスター１２のプレート１２ａに設けられている取り付け穴４箇所に対応したネジ穴Ａ２３１ａがそれぞれ設けられ、２つのキャスター支持軸２３１とキャスター１２はネジで固定される。また、キャスター支持軸２３１には、図７に示す調整ボルト１４１とネジ結合するネジ穴Ｂ２３１ｂが設けられている。
【００３０】
補助ベース板２１１の構成は実施例１の補助ベース板１１１に準ずるが、長穴２１２は、キャスター１２に固定された２つのキャスター支持軸２３１に対応した位置とされる。即ち、補助ベース板２１１は、補助ベース板１１１に対し長穴２１２の位置が異なるが、他は同じである。
【００３１】
調整ボルト１４１は、補助ベース板２１１の長穴２１３を通し、キャスター支持軸２３１のネジ穴Ｂ２３１ｂとネジ結合する。実施例２では、キャスター１２のプレート１２ａが実施例１の移動板Ａ１２１に、キャスター支持軸２３１のネジ穴Ｂ２３１ｂが実施例１のナット１２２に相当する。高さ調整、作用は実施例１に準ずる。
＜実施例３＞
実施例３は、実施例１と同様に、装置の底部材に対し平行移動可能な移動部材を設け、長穴とキャスターを配設し、摺動部材は底部材に配設した高さ調整器具の例であり、実施例１における長穴１１２と支持軸１３１の配設箇所を入れ替えたものである。
【００３２】
図９は、高さ調整器具３００を示す図であり、図９（ａ）は正面図、図９（ｂ）は左側面図である。
【００３３】
実施例１と異なる点は、移動部材である移動板Ｂ３２１に摺動部材である支持軸３３１がスライドする長穴３１２が設けられ、補助ベース板３１１に支持軸３３１が取り付けられることであり、他の構成、仕様等は実施例１に準ずる。移動板Ｂ３２１は、長穴部材を兼ねる構成である。
【００３４】
支持軸３３１は、本実施例では支持板３３２を介して補助ベース板３１１に取り付けられる。支持板３３２を用いず、支持軸３３１を直接、ネジ等で補助ベース板３１１に取り付けてもよい。移動板Ｂ３２１には、キャスター１２及び長穴３１２が配設される。長穴３１２の構成は、実施例１の長穴１１２に準ずる。高さ調整、作用は実施例１に準ずる。
【図面の簡単な説明】
【００３５】
【図１】本発明に係る装置高さ調整器具の一例を示す正面図である。
【図２】本発明に係る装置高さ調整器具の一例を示す下面図である。
【図３】本発明に係る装置高さ調整器具の一例を示す側面図である。
【図４】本発明に係る装置高さ調整器具の分解図である。
【図５】装置高さ調整器具での高さ調整の状態を示す図である。
【図６】高さ調整とキャスターの位置関係を示す図である。
【図７】装置高さ調整器具の別な例を示す図である。
【図８】摺動部材にキャスターを取り付けた状態を示す図である。
【図９】装置高さ調整器具の別な例を示す図である。
【符号の説明】
【００３６】
１  装置
１１  ベース板
１２  キャスター
１００、２００、３００  装置高さ調整器具
１１１、２１１、３１１  補助ベース板
１１２、１１３、２１２、３１２  長穴
１１４  調整ボルト回転防止板
１２１  移動板
１３１、３３１  支持軸
１４１  調整ボルト
２３１  キャスター支持軸
３３２  支持板
【図１】
2009196578.tif 000003
【図２】
2009196578.tif 000004
【図３】
2009196578.tif 000005
【図４】
2009196578.tif 000006
【図５】
2009196578.tif 000007
【図６】
2009196578.tif 000008
【図７】
2009196578.tif 000009
【図８】
2009196578.tif 000010
【図９】
2009196578.tif 000011